(57)【要約】【課題】下部に円錐形の部分を有する配管継手における問題を考慮した配管継手アセンブリを提供する。【解決手段】この発明に係る配管継手アセンブリ１０は床スラブ４０の貫通孔４１を貫通して配置される。配管継手１１は円筒状の第１部分１１ａと、第１部分１１ａに連続してその下部に設けられた円錐状の第２部分１１ｂとを含み、配管継手１１の上部および下部には縦方向に延在する配管部材３１，３３が接続される。少なくとも第２部分１１ｂの外周を覆う円筒状の外周部１６が設けられ、外周部１６と第２部分１１ｂとの間には吸音性を有する熱膨張耐火材１５が充填される。【選択図】図１
2009108939.tif 000002
【特許請求の範囲】
【請求項１】
床スラブの貫通孔を貫通して配置される配管継手アセンブリであって、
前記配管継手は円筒状の第１部分と、前記第１部分に連続してその下部に設けられた円錐状の第２部分とを含み、
前記少なくとも前記第２部分の外周を覆う円筒状の外周部を含み、
前記外周部と前記第２部分との間には少なくとも、吸音材、または、熱膨張耐火材が充填される、配管継手アセンブリ。
【請求項２】
前記外周部は前記床スラブの貫通孔の上端まで延在する、請求項１に記載の配管継手アセンブリ。
【請求項３】
前記外周部と前記貫通孔との間にはモルタルが設けられる、請求項１または２に記載の配管継手アセンブリ。
【請求項４】
前記外周部の前記モルタルと前記外周部との間は振動絶縁材で構成される、請求項３に記載の配管継手アセンブリ。
【請求項５】
前記外周部は遮音材で構成されている、請求項１から４のいずれかに記載の配管継手アセンブリ。
【請求項６】
前記第１部分と前記貫通孔との間にはモルタルが設けられる、請求項１に記載の配管継手アセンブリ。
【請求項７】
前記外周部は前記モルタルで支持されている、請求項１または６に記載の配管継手アセンブリ。
【請求項８】
前記外周部は金属で構成されている、請求項１から７のいずれかに記載の配管継手アセンブリ。
【請求項９】
床スラブの貫通孔を貫通して配置される配管の外周部に所定の部材を保持する部材保持装置であって、
前記配管は円筒状の第１部分と、前記第１部分に連続してその下部に設けられた円錐状の第２部分とを含み、
少なくとも前記第２部分の一部は前記貫通孔内に位置し、
前記第２部分との間に前記部材を保持する円筒状の外周部を含み、
前記部材は、少なくとも、吸音材、または、熱膨張耐火材を含む、部材保持装置。
【発明の詳細な説明】
【技術分野】
【０００１】
この発明は、配管継手アセンブリおよび部材保持装置に関し、特に、防火区画体に設けられた貫通孔を貫通する配管継手に用いられる、配管継手アセンブリおよび部材保持装置に関する。
【背景技術】
【０００２】
従来の防火区画体の床の貫通孔を通過する配管継手アセンブリが、たとえば、特開２００７−５６５３６号公報（特許文献１）に開示されている。また、熱膨張性防火装着具およびそれを用いた防火構造が、たとえば、特開２００６−１７６９８７号公報（特許文献２）に開示されている。
【０００３】
特許文献１は床スラブを貫通して配管される排水配管構造を開示している。排水配管構造は、立管継手部材と、この立管継手部材の上部及び下部に接続される立管部材とを備えており、立管継手部材は耐火性を有しており、立管継手部材または立管継手部材の高さ方向の少なくとも一方に対して立管継手部材の高さ領域内に、所定の温度で膨張する熱膨張耐火材が設けられている。
【０００４】
特許文献２によれば、防火区画体の貫通孔とこれに挿通される管様体の外周面に対して装着される熱膨張性防火装着具であって、管様体の外周面に対して装着可能で、かつ、弾性復元力を抗して縮径側に弾性変形可能な螺旋状に形成された熱膨張性耐火シール材から構成されている。
【特許文献１】２００７−５６５３６号公報（要約）
【特許文献２】２００６−１７６９８７号公報（要約）
【発明の開示】
【発明が解決しようとする課題】
【０００５】
従来の防火区画体の床の貫通孔を通過する配管継手アセンブリは上記のように構成されていた。特許文献１によれば、下方向にテーパ状になった立管継手部材を開示しており、その立管継手部材の高さ領域内に、所定の温度で膨張する熱膨張耐火材を設けて、耐火性については考慮されていたが、それ以外の点については考慮はされていなかった。
【０００６】
また、特許文献２は、配管の周囲に巻きつける熱膨張性防火装着具についての開示はあるが、配管継手アセンブリとしての構成については考慮されていなかった。
【０００７】
この発明は、上記のような問題を解消するためになされたもので、下部に円錐形の部分を有する配管継手における問題を考慮した配管継手アセンブリおよび部材保持装置を提供することを目的とする。
【課題を解決するための手段】
【０００８】
この発明に係る配管継手アセンブリは床スラブの貫通孔を貫通して配置される。配管継手は円筒状の第１部分と、第１部分に連続してその下部に設けられた円錐状の第２部分とを含む。配管継手アセンブリは、少なくとも第２部分の外周を覆う円筒状の外周部を含み、外周部と第２部分との間には、少なくとも、吸音材、または、熱膨張耐火材が充填される。
【０００９】
好ましくは、外周部は床スラブの貫通孔の上端まで延在する。
【００１０】
さらに好ましくは、外周部と貫通孔との間にモルタルが設けられる。
【００１１】
なお、外周部のモルタルと外周部との間は振動絶縁材で構成されるのが好ましい。
【００１２】
また、外周部は遮音材で構成されてもよい。
【００１３】
この発明の一つの実施の形態においては、第１部分と貫通孔との間にはモルタルが設けられる。
【００１４】
外周部はモルタルで支持されていてもよいし、外周部は金属で構成されていてもよい。
【００１５】
この発明の他の局面においては、部材保持装置は、床スラブの貫通孔を貫通して配置される配管の外周部に所定の部材を保持する。配管は円筒状の第１部分と、第１部分に連続してその下部に設けられた円錐状の第２部分とを含み、少なくとも第２部分の一部は前記貫通孔内に位置し、第２部分との間に所定の部材を保持する円筒状の外周部を含み、所定の部材は、少なくとも、吸音材、または、熱膨張耐火材を含む。
【発明の効果】
【００１６】
この発明においては、配管継手アセンブリは床スラブの貫通孔を貫通して配置され、少なくとも円錐状の第２部分の外周を覆う円筒状の外周部と第２部分との間には少なくとも吸音材、または、熱膨張耐火材が充填される。したがって、吸音材が充填されれば、円錐状の第２部分に排水等が当たって音が発生しても、その部分の音が吸収される。一方、熱膨張耐火材が充填されれば火災時に通路を遮断できる。
【００１７】
その結果、下部に円錐形の部分を有する配管継手における問題を考慮した配管継手アセンブリを提供できる。
【発明を実施するための最良の形態】
【００１８】
以下、この発明の一実施の形態に係る配管継手アセンブリを、図面を参照して説明する。図１は、この発明の一実施の形態に係る配管継手アセンブリが、防火区画体の床スラブ４０の貫通孔４１に設けられた場合の全体構成を示す側面図である。図１を参照して、この実施の形態における配管継手アセンブリ１０は、配管継手１１と、配管継手１１の下部を覆う耐火性保持部１５（部材保持装置）とを含む。
【００１９】
配管継手１１は、上部に設けられた円筒状の本体部（第１部分）１１ａと、本体部１１ａの下部に設けられ、上端部は本体部１１ａと同一の径を有し、下方に向かってその断面が縮小する円錐部（第２部分）１１ｂとを含む。本体部１１ａの上部には上方向へ延在する上部配管部材３１を接続するための上部配管接続部１３と横方向に延在する横方向配管部材３２を接続するための側部配管接続部１４が設けられる。円錐部１１ｂはその下部に下部配管部材３３と接続するための円筒状の下部接続部１９が設けられる。下部接続部１９の外周と下部配管部材３３の上端部との間にはシールリング３４が設けられている。
配管継手１１は耐火性を有する塩化ビニール製が好ましいが、鋳鉄製等であってもよい。
【００２０】
このようなテーパ状の円錐部１１ｂを有する配管継手１１においては、上部配管から流入した排水が円錐部１１ｂに当接し、音が発生する。そこで、この実施の形態においては、このような音の発生を減らすために配管継手１１の円錐部１１ｂを覆うための吸音材を含む耐火材を保持する耐火材保持部１５を設けた。
【００２１】
耐火性保持部１５は、本体部１１ａの外周を覆うとともに、円錐部１１ｂの下端よりも下方向に延在する円筒状の外周部１６と、外周部１６の下端部に設けられた底部１７とを含み、底部１７には、下部配管部材３３を通すための貫通孔１７ａが設けられている。外周部１６は床スラブ４０の貫通孔４１を通って床スラブ４０の上面まで延在する。
【００２２】
円錐部１１ｂと外周部１６との間の空間には、グラスウールやロックウールのような遮音（吸音）材とともに、所定の温度で膨張して円錐部１１ｂの上下方向の通路を遮断する熱膨張耐火材１８が重点されている。なお、グラスウールやロックウールに限らず、他の多孔質性を有する天然鉱物繊維であってもよい。また、吸音材と熱膨張耐火材とを別に充填することなく、遮音性を有する熱膨張耐火材を充填してもよい。
【００２３】
図２は図１においてＩＩで示す部分の拡大図である。図２を参照して、外周部１６は本体部１１ａの外周部において、本体部１１ａ側から、第１遮音層１６ａと第２遮音層１６ｂとからなる遮音材で構成された２層構造を有している。第１および第２遮音層１６ａ，１６ｂは、グラスウールやロックウールやセラミックウールが好ましい。なお、第２遮音層１６ｂとしては、アスファルト系やゴム系などの有機系材料の層を設けてもよい。また、遮音性を得るために、比重を重くするのが好ましい。そのために、有機材料の層に鉄粉等を混練するのが好ましい。
【００２４】
次に、床スラブ４０の貫通孔４１に配管継手アセンブリ１０を取付ける方法について説明する。図３はこの方法を説明するための図である。図３を参照して、床スラブ４０の貫通孔４１に配管継手アセンブリ１０の本体部１１ａが位置するようにスペーサ４３等を用いて位置決めする。なお、ここでは便宜上横方向配管部材３２の下部と床スラブ４０との間にスペーサを設けて位置決めを行っているが、任意の方法で位置決めを行ってもよい。
【００２５】
また、配管継手アセンブリ１０の組立方法としては、まず、配管継手１１を用いて上下、および、横方向の配管部材を接続後、耐火材保持部１５で配管継手１１の外周を耐火性保持部で覆うようにしてもよい。このような施工をするために、耐火性保持部１５は複数の部材に分割可能であり、外部から一体的に組立可能とされているのが好ましい。
【００２６】
なお、図１や図３においては、本体部１１ａと円錐部１１ｂとの接合部がほぼ床スラブ４０の下面に一致している状態を示しているが、これに限らず、接合部は少なくとも床スラブ４０の厚さ以内にあればよい。
【００２７】
この状態において、貫通孔４１と配管継手アセンブリ１０との間の空間にモルタル等の不燃材４２を埋めて、貫通孔４１内に配管継手アセンブリ１０を固定する。
このようにして床スラブ４０の貫通孔４１に固定された配管継手アセンブリ１０は、グラスウールやロックウールのような柔軟性を有する外周部１６によって、配管継手アセンブリ１０が保持されるため、排水が円錐部１１ｂに当たることによって振動が発生しても、外周部１６がスポンジ状やクッション性を有する吸音材で構成されているため不燃材４２との縁が切られている。したがって、発生した振動は柔軟性を有するグラスウールやロックウールによって遮断され、床スラブ４０に伝達されない。また、排水が円錐部１１ｂに当たって音が発生しても、外周部１６を構成するグラスウールやロックウールによって音は吸収される。さらに、火災が発生しても、熱膨張耐火材によって配管通路が遮断されるため、火災が床スラブ４０を通って上層部に伝播することはない。その結果、遮音、防振が可能であるとともに、防火も可能な配管継手アセンブリを提供できる。
【００２８】
なお、上記実施の形態においては、外周部１６をグラスウールやロックウール等の遮音材で構成した場合について説明したが、これに限らず、不燃性の鉄製の外周部１５を設け、その内部の本体部１１ａとの間にグラスウールやロックウール等を挟むようにしてもよい。
【００２９】
次に、この発明の他の実施の形態について説明する。図４はこの発明の他の実施の形態を示す図であり、先の実施の形態の図１に対応する。図４を参照して、この実施の形態においても配管継手アセンブリは防火区画体の床スラブ４０の貫通孔４１に設けられるが、この実施の形態においては、耐火材保持部２５（部材保持装置）を構成する外周部が不燃材４２で保持される点が先の実施の形態と異なる。
【００３０】
図４を参照して、この実施の形態における配管継手アセンブリ２０は、配管継手１１と、配管継手１１の下部を覆う耐火性保持部２５とを含む。配管継手１１は図１に示した先の実施の形態と同様であるので、同一部分に同一参照符号を付してその説明を省略する。また、配管継手アセンブリ２０は配管継手１１と耐火材保持部とを含むという点も先の実施の形態と同様であるので、耐火材保持部２５の対応する部分に２０番台の参照番号を付して同一部分についてはその説明を省略する。
【００３１】
この実施の形態において、先の実施の形態と異なる点について説明する。図４を参照して、この実施の形態においては、外周部２６は、先の実施の形態のように、配管継手１１の本体部１１ａの外周部を覆うことなく、貫通孔４１と配管継手２１との間を埋める不燃材４２に保持される。すなわち、図４に示すように、外周部２６は配管継手１１の円錐部１１ｂの外周を覆っており、間に吸音材および熱膨張耐火材２８を充填している。外周部２６の上端部には外方向に延在するフランジ部２２が設けられ、このフランジ部２２が不燃材４２に埋め込まれている。
【００３２】
なお、この実施の形態においも、外周部２６はグラスウール、ロックウール、セラミックウール、または、有機系材料の層のいずれかからなる２層構造を有しており、円錐部１１ｂへ当たる排水によって生じる音は吸音されるとともに、火災時には、熱膨張耐火材２８によって、配管継手による火の延焼は食い止められる。
【００３３】
一方で、この実施の形態においては、本体部１１ａと床スラブ４０の開口４１とを埋めるモルタルとの縁は先の実施の形態と異なり、切れていないため、円錐部１１ｂで生じた振動は床スラブ４０に伝達されうる。
【００３４】
次に、この実施の形態の変形例について説明する。図５はこの変形例を示す図である。この例においては、耐火材保持部２５のフランジ部２２を不燃材４２に保持するために、不燃材４２の内部に埋め込むのではなく、不燃材４２にボルトやビス、または、アンカーボルト２３でフランジ部２２を固定する。それ以外の部分については、先の実施の形態と同様であるので、同一部分に対応する参照番号を付して、その説明は省略する。なお、このボルトやビス、または、アンカーボルト２３によるフランジ部２２の固定は、不燃材４２に限らず、床スラブ４０に行ってもよい。このような構成とすることにより、配管継手１１を設けたあとで耐火材保持部２５の取付けが可能になる。
【００３５】
なお、上記実施の形態においては、外周部１５を２層構造とする場合について説明したが、これに限らず、１層としてもよい。
【００３６】
また、上記実施の形態においては、耐火材保持部は吸音材を含む熱膨張耐火材を保持する場合について説明したが、これに限らず、耐火材保持部は少なくとも吸音材、または、熱膨張耐火材のいずれかを保持すればよい。この場合は、耐火材保持部は部材保持部として機能する。
【００３７】
以上、図面を参照してこの発明の実施形態を説明したが、この発明は、図示した実施形態のものに限定されない。図示された実施形態に対して、この発明と同一の範囲内において、あるいは均等の範囲内において、種々の修正や変形を加えることが可能である。
【図面の簡単な説明】
【００３８】
【図１】この発明の一実施の形態に係る配管継手アセンブリの床スラブへの取付け状態を示す側面図である。
【図２】図１においてＩＩで示した部分の拡大断面図である。
【図３】第１実施の形態に係るか継手アセンブリの施工方法を示す図である。
【図４】この発明の他の実施の形態を示す側面図である。
【図５】この発明の他の実施の形態の変形例を示す側面図である。
【符号の説明】
【００３９】
１０，２０  配管継手アセンブリ、１１，２１  配管継手、１１ａ，２１ａ  本体部、１１ｂ，２１ｂ  円錐部、１３，２３  上部配管部材、１４，２４  側部接続部、１５，２５  耐火材保持部、１６，２６  外周部、１７，２７  底部、１８，２８  耐火材、１９，２９  下部接続部、２２  フランジ部、２３  ボルト、３１  上部配管部材、３２  横方向配管部材、３３  下部配管部材、４０  床スラブ、４１  貫通孔、４２  不燃材。
【図１】
2009108939.tif 000003
【図２】
2009108939.tif 000004
【図３】
2009108939.tif 000005
【図４】
2009108939.tif 000006
【図５】
2009108939.tif 000007